(57)【要約】【課題】簡単な操作で鍵を解錠して紙幣または貨幣価値カードを取り出すことのできる遊技媒体貸出装置及び遊技媒体貸出システムを提供する。【解決手段】複数の遊技媒体貸出機１、及び該遊技媒体貸出機と通信可能なリモコン機２を備える。また、遊技媒体貸出機１は、他の遊技媒体貸出機と通信可能な通信部５０と、遊技媒体貸出機１内に収容された紙幣Ｐを排出する押し出しモータ２３とを備える。そして、通信部５０にて解除操作信号（排出指令信号）が受信された際には、押し出しモータ２３を作動させて紙幣Ｐを排出する制御を行い、その後、他の遊技媒体貸出機１に対して解除操作信号を送信する。これにより、複数の遊技媒体貸出機１より連鎖的に紙幣が排出されることになり、集金担当者は容易に紙幣を回収することができる。【選択図】      図１
2006238927.tif 000002
【特許請求の範囲】
【請求項１】
遊技媒体を貸し出しする遊技媒体貸出装置において、
紙幣または貨幣価値カードが挿入された際に、これを検出して所定量の遊技媒体を貸し出しする遊技媒体貸出機と、操作者が携行可能な携帯機と、を備え、
前記遊技媒体貸出機は、
前記携帯機との間で通信可能な通信手段と、
前記挿入された紙幣または貨幣価値カードを収容可能な収容手段と、
前記収容手段に収容された前記紙幣または貨幣価値カードを排出する排出機構と、
前記通信手段にて、前記携帯機からの前記紙幣または貨幣価値カードの排出指令信号が受信された際に、前記排出機構を作動させて前記紙幣または貨幣価値カードを排出する制御を行う貸出機制御手段と、
を備えたことを特徴とする遊技媒体貸出装置。
【請求項２】
遊技媒体を貸し出しする遊技媒体貸出システムにおいて、
紙幣または貨幣価値カードが挿入された際に、これを検出して所定量の遊技媒体を貸し出しする複数の遊技媒体貸出機と、操作者が携行可能であり、前記各遊技媒体貸出機の少なくとも１つと通信可能な携帯機と、を備え、
前記各遊技媒体貸出機は、他の遊技媒体貸出機と通信可能な通信制御手段と、
該遊技媒体貸出機に収容された紙幣または貨幣価値カードを排出する排出機構と、
前記通信手段にて、前記紙幣または貨幣価値カードの排出指令信号が受信された際に、前記排出機構を作動させて前記紙幣または貨幣価値カードを排出する制御を行う貸出機制御手段と、を備え、
前記通信制御手段は、前記携帯機または第１の他の遊技媒体貸出機よりの排出指令信号が受信された際に、前記第１の他の遊技媒体貸出機とは異なる少なくとも１つの第２の他の遊技媒体貸出機に排出指令信号を送信することを特徴とする遊技媒体貸出システム。
【請求項３】
前記遊技媒体貸出機は、前記通信制御手段にて前記携帯機または前記第１の他の遊技媒体貸出機よりの排出指令信号を受信した際に、前記排出機構を駆動させて前記紙幣または貨幣価値カードを排出した後に、少なくとも１つの前記第２の他の遊技媒体貸出機へ排出指令信号を送信することを特徴とする請求項２に記載の遊技媒体貸出システム。
【請求項４】
前記通信制御手段は、前記携帯機または他の第１遊技媒体貸出機よりの排出指令信号が受信された際に、唯一の前記第２の他の遊技媒体貸出機に排出指令信号を送信することを特徴とする請求項２に記載の遊技媒体貸出システム。
【請求項５】
前記複数の遊技媒体貸出機を２以上のグループに設定し、前記携帯機より排出指令信号が送信された際には、該排出指令を受信した遊技媒体貸出機を含むグループの遊技媒体貸出機間において前記排出指令信号の送受信を行うことにより、該グループの遊技媒体貸出機の前記排出機構を駆動させることを特徴とする請求項２〜請求項４のいずれか１項に記載の遊技媒体貸出システム。
【請求項６】
前記各遊技媒体貸出機は、該遊技媒体貸出機を管理する管理サーバと接続され、前記排出機構による紙幣または貨幣価値カードの排出結果を前記管理サーバに送信することを特徴とする請求項２〜請求項５のいずれか１項に記載の遊技媒体貸出システム。
【請求項７】
前記携帯機は、前記遊技媒体貸出機に対して前記紙幣または貨幣価値カードの排出指令信号を送信するリモコン機、または前記遊技媒体貸出機との間での認証を行うことにより前記紙幣または貨幣価値カードの排出指令信号を送信する認証用カードのうちのいずれかであることを特徴とする請求項２〜請求項６のいずれかに記載の遊技媒体貸出システム。
【発明の詳細な説明】
【技術分野】
【０００１】
本発明は、パチンコ機における遊技球、或いはパチスロ機における遊技メダル等の遊技媒体を貸し出しする遊技媒体貸出装置及び遊技媒体貸出システムに関する。
【背景技術】
【０００２】
例えば、遊技機としてのパチンコ機では、パチンコ機の筐体側部近傍に遊技球を貸し出すための遊技媒体貸出機が設置されている。遊技媒体貸出機は、紙幣或いはプリペイドカード等の貨幣価値カードを挿入すると、この金額に相当する遊技球が貸し出される構成となっている。
【０００３】
また、遊技媒体貸出機に遊技者が挿入した紙幣或いは貨幣価値カードは、遊技媒体貸出機内の収容部に収容され、遊技ホールが閉店した後等に遊技ホールの集金担当者が各遊技媒体貸出機に設けられた鍵を解錠して、内部の収容部に蓄積された紙幣或いは貨幣価値カードを回収する。このような回収作業では、各遊技媒体貸出機の鍵を解錠した際に、収容されている紙幣或いは貨幣価値カードを集金担当者が容易につかみ取ることができない場合があり、回収作業の能率が低下してしまう。
【０００４】
そこで、このような問題を解決するために、例えば特開２００２−８５７９７号公報（特許文献１）には、遊技媒体貸出機の鍵を解錠した際に、収容されている紙幣が自動的に突出する技術が示されており、集金担当者は突出した紙幣を容易につかみ取ることができる。
【０００５】
ところが、上記した特許文献１の遊技媒体貸出機では、遊技ホールに設けられた多数の遊技媒体貸出機を、集金担当者が順次解錠して紙幣或いは貨幣価値カードを回収して歩く必要があるので、依然として鍵を解錠するという煩雑な作業を行う必要がある。
【０００６】
この問題を解決するために、例えば、特開２００３−１９０６１１号公報（特許文献２）には、各遊技媒体貸出機とネットワークを介して接続された管理サーバからの指令により、複数の遊技媒体貸出機のうちのいくつかの鍵を一斉に解錠して、集金担当者による紙幣回収の労力を軽減する技術が開示されている。
【特許文献１】特開２００２−８５７９７号公報
【特許文献２】特開２００３−１９０６１１号公報
【発明の開示】
【発明が解決しようとする課題】
【０００７】
しかしながら、上述した特許文献２に開示された従来技術では、管理サーバからの指令により、多数設けられた遊技媒体貸出機のうちの一部或いは全部の鍵を解錠させる方式であるので、集金担当者は事務室、或いは管理室等の管理サーバが設置されている位置で所定の操作を入力し、遊技媒体貸出機の鍵を解錠する操作を行う必要がある。
【０００８】
従って、遊技媒体貸出機の設置位置から離れている場所に事務室、管理室等の管理サーバが置かれている場合には、集金担当者はわざわざ管理サーバ設置場所まで移動して解錠操作を行う必要があり、また、鍵を解錠した後には、複数の遊技媒体貸出機から紙幣が長時間露出した状態となり、防犯上の問題が発生していた。
【０００９】
また、管理サーバから各遊技媒体貸出機へ紙幣を排出させるための信号を送信するので、ネットワーク回線の通信負荷が増大するという欠点があった。
【００１０】
本発明は、このような従来の課題を解決するためになされたものであり、その目的とするところは、簡単な操作で鍵を解錠して紙幣または貨幣価値カードを取り出すことのでき、且つネットワーク回線の通信負荷を軽減することのできる遊技媒体貸出装置及び遊技媒体貸出システムを提供することにある。
【課題を解決するための手段】
【００１１】
上記目的を達成するため、本願請求項１に記載の遊技媒体貸出装置は、遊技媒体を貸し出しする遊技媒体貸出装置において、紙幣または貨幣価値カードが挿入された際に、これを検出して所定量の遊技媒体を貸し出しする遊技媒体貸出機と、操作者が携行可能な携帯機と、を備え、前記遊技媒体貸出機は、前記携帯機との間で通信可能な通信手段と、前記挿入された紙幣または貨幣価値カードを収容可能な収容手段と、前記収容手段に収容された前記紙幣または貨幣価値カードを排出する排出機構と、前記通信手段にて、前記携帯機からの前記紙幣または貨幣価値カードの排出指令信号が受信された際に、前記排出機構を作動させて前記紙幣または貨幣価値カードを排出する制御を行う貸出機制御手段と、を備えたことを特徴とする。
【００１２】
請求項１の発明では、操作者が携帯機を操作して排出指令信号を出力すると、遊技媒体貸出機に設けられた排出機構により、該遊技媒体貸出機内に収容されている紙幣または貨幣価値カードが排出されるので、操作者は簡単な操作で紙幣を取り出すことができ、紙幣または貨幣価値カードの回収の作業を容易に行うことができる。
【００１３】
請求項２に記載の遊技媒体貸出システムは、遊技媒体を貸し出しする遊技媒体貸出システムにおいて、紙幣または貨幣価値カードが挿入された際に、これを検出して所定量の遊技媒体を貸し出しする複数の遊技媒体貸出機と、操作者が携行可能であり、前記各遊技媒体貸出機の少なくとも１つと通信可能な携帯機と、を備え、前記各遊技媒体貸出機は、他の遊技媒体貸出機と通信可能な通信制御手段と、該遊技媒体貸出機に収容された紙幣または貨幣価値カードを排出する排出機構と、前記通信手段にて、前記紙幣または貨幣価値カードの排出指令信号が受信された際に、前記排出機構を作動させて前記紙幣または貨幣価値カードを排出する制御を行う貸出機制御手段と、を備え、前記通信制御手段は、前記携帯機または第１の他の遊技媒体貸出機よりの排出指令信号が受信された際に、前記第１の他の遊技媒体貸出機とは異なる少なくとも１つの第２の他の遊技媒体貸出機に排出指令信号を送信することを特徴とする。
【００１４】
請求項２の発明では、操作者が携帯機を操作して排出指令信号を出力すると、この排出指令信号を受信した遊技媒体貸出機では、収容されている紙幣または貨幣価値カードを排出し、且つ、他の遊技媒体貸出機（第２の他の遊技媒体貸出機）へ排出指令信号を送信する。これにより、複数の遊技媒体貸出機に対して連鎖的に排出指令信号が送信されるので、複数の遊技媒体貸出機から時間差をもって紙幣または貨幣価値カードが排出されることになり、集金担当者は順次排出される紙幣または貨幣価値カードを容易に回収することができる。その結果、紙幣または貨幣価値カードの回収の能率を著しく向上させることができる。また、管理サーバを介さずに各遊技媒体貸出機へ排出指令信号を送信することができるので通信負荷を軽減することができる。
【００１５】
請求項３に記載の発明は、前記遊技媒体貸出機は、前記通信制御手段にて前記携帯機または前記第１の他の遊技媒体貸出機よりの排出指令信号を受信した際に、前記排出機構を駆動させて前記紙幣または貨幣価値カードを排出した後に、少なくとも１つの前記第２の他の遊技媒体貸出機へ排出指令信号を送信することを特徴とする。
【００１６】
請求項３の発明では、遊技媒体貸出機に対して、携帯機或いは他の遊技媒体貸出機（第１の他の遊技媒体貸出機）から排出指令信号が送信された際には、紙幣または貨幣価値カードを排出した後に、他の遊技媒体貸出機（第２の他の遊技媒体貸出機）へ排出指令信号を送信するので、集金担当者が確実に紙幣または貨幣価値カードを回収した後に、次の遊技媒体貸出機で紙幣または貨幣価値カードが排出されることになり、紙幣または貨幣価値カードが露出している時間を短くすることができる。
【００１７】
請求項４に記載の発明は、前記通信制御手段は、前記携帯機または他の第１遊技媒体貸出機よりの排出指令信号が受信された際に、唯一の前記第２の他の遊技媒体貸出機に排出指令信号を送信することを特徴とする。
【００１８】
請求項４の発明では、遊技媒体貸出機に排出指令信号が送信された後、次の遊技媒体貸出機（第２の他の遊技媒体貸出機）へ排出指令信号を送信する際に、１台の遊技媒体貸出機にのみ排出指令信号を送信するので、例えば、１つの遊技島に設置された遊技媒体貸出機から紙幣または貨幣価値カードを回収する際には、隣接する遊技媒体貸出機から順次紙幣または貨幣価値カードを排出させることができ、効率良く紙幣または貨幣価値カードを回収することができる。
【００１９】
請求項５に記載の発明は、前記複数の遊技媒体貸出機を２以上のグループに設定し、前記携帯機より排出指令信号が送信された際には、該排出指令を受信した遊技媒体貸出機を含むグループの遊技媒体貸出機間において前記排出指令信号の送受信を行うことにより、該グループの遊技媒体貸出機の前記排出機構を駆動させることを特徴とする。
【００２０】
請求項５の発明では、複数の遊技媒体貸出機を２以上のグループに設定して、各グループ毎に紙幣または貨幣価値カードを排出させるので、例えば遊技島毎に紙幣または貨幣価値カードを排出させることができ、回収作業の能率を向上させることができる。
【００２１】
請求項６に記載の発明は、前記各遊技媒体貸出機は、該遊技媒体貸出機を管理する管理サーバと接続され、前記排出機構による紙幣または貨幣価値カードの排出結果を前記管理サーバに送信することを特徴とする。
【００２２】
請求項６の発明では、排出機構により紙幣または貨幣価値カードが正常に排出されたか否かを示す排出結果のデータを各遊技媒体貸出機を管理する管理サーバに送信するので、管理サーバ側では排出結果を一括して管理することができる。
【００２３】
請求項７に記載の発明は、前記携帯機は、前記遊技媒体貸出機に対して前記紙幣または貨幣価値カードの排出指令信号を送信するリモコン機、または前記遊技媒体貸出機との間での認証を行うことにより前記紙幣または貨幣価値カードの排出指令信号を送信する認証用カードのうちのいずれかであることを特徴とする。
【００２４】
請求項７の発明では、携帯機としてリモコン機またはＩＣカード等の認証用カードを用いて遊技媒体貸出機との間の通信を行うので、リモコン機を用いた場合には、他の遠隔操作を行うためのリモコン機と一体化することができ、また認証用カードを用いた場合には、確実な認証が必要となるので正規の操作者でない第三者に紙幣または貨幣価値カードを排出されるというトラブルの発生を回避することができる。
【発明の効果】
【００２５】
本発明に係る遊技媒体貸出装置及び遊技媒体貸出システムでは、簡単な操作で鍵を解錠して紙幣または貨幣価値カードを取り出すことができ、且つネットワーク回線の通信負荷を軽減することができる。
【発明を実施するための最良の形態】
【００２６】
以下、本発明の実施形態を図面に基づいて説明する。図１は、本発明の一実施形態に係る遊技媒体貸出システムを示す構成図である。
【００２７】
同図に示すように、この遊技媒体貸出システム１００は、遊技ホール内に設置された複数の遊技媒体貸出機１（１a-1，１a-2，…，１a-n，１b-1，１b-2，…，１b-n）と、各遊技媒体貸出機１と通信可能で操作者が携行可能なリモコン機（携帯機）２と、各遊技媒体貸出機１どうしを接続するネットワーク回線４を備えている。また、各遊技媒体貸出機１は、ネットワーク回線４を介して管理サーバ３に接続されている。
【００２８】
遊技媒体貸出機１は、例えば遊技ホールに設けられたパチンコ機の筐体の側部近傍に設置され、紙幣（或いはプリペイドカード等の貨幣価値カード）を挿入すると、挿入された金額に応じた遊技球（遊技媒体）を貸し出すものである。
【００２９】
図２は、遊技媒体貸出機１の外観を示す斜視図である。図示のように、遊技媒体貸出機１は、紙幣を挿入する紙幣挿入口１１と、硬貨を投入する硬貨投入口１２と、リモコン機２との間で通信を行う際のリモコン用受信部１３と、会員情報或いは管理情報、エラーメッセージ等を表示する情報表示ＬＣＤ１４と、貯玉の引き出し等の操作を行うテンキー１５と、硬貨返却口１６と、プリペイドカード等の貨幣価値カードを挿入するカード挿入口１７とを備えている。
【００３０】
図３は、複数の遊技媒体貸出機１が、パチンコ機等の遊技機１８間に設置されている様子を示す説明図であり、図示のように、各遊技機１８に対してそれぞれ１台ずつ遊技媒体貸出機１が配置されている。そして、遊技者は、遊技媒体貸出機１の紙幣挿入口１１から紙幣を挿入したり、硬貨投入口１２から硬貨を投入したり、或いはカード挿入口１７からプリペイドカードを挿入することにより、所望する金額分の遊技媒体、即ち、パチンコ機である場合には遊技球、パチスロ機である場合には遊技用のメダルが貸し出されるようになっている。
【００３１】
図４は、紙幣挿入口１１より挿入された紙幣Ｐを収容するための収容ケース２１の外観を示す斜視図、図５は収容ケース２１内部の構成を示す側面図である。また、図６は収容部２１内部に収容されている紙幣を排出するための排出機構の構成を示す斜視図であり、同図（ａ）は紙幣Ｐが収容されている状態、同図（ｂ）は紙幣Ｐを排出した状態を示している。
【００３２】
図５に示すように、収容ケース２１内には、金属製の側板２２が設けられており、該側板２２に沿って遊技者が紙幣挿入口１１より挿入した複数枚の紙幣が収容される。側板２２には、一つの短辺から略中央部に向けた直線状の切欠部２２ａが形成されている。
【００３３】
更に、側板２２の下部には、押し出しモータ２３が設けられ、該押し出しモータ２３の回転軸に設けられたウォームギヤ２４、及び該ウォームギヤ２４と螺合したウォームホイール２５及び各種のギヤを介して駆動ベルト２６が駆動するようになっている。また、駆動ベルト２６には、クランク形状をなす紙幣押し出し用のブラケット２７が取り付けられており、該ブラケット２７の先端部２７ａは、側板２２の切欠部２２ａ内に係合されている。従って、図６（ａ）に示すようにブラケット２７が初期位置にある状態から、押し出しモータ２３が回転して駆動ベルト２６が駆動すると、ブラケット２７の先端部２７ａが切欠部２２ａ内を移動するので、図６（ｂ）に示すように紙幣Ｐが押し出され、ひいては図４に示すように、紙幣挿入口１１から紙幣Ｐが排出されることになる。
【００３４】
図７は、紙幣挿入口１１の内部に設けられた紙幣検出収容装置の構成を示すブロック図である。同図に示すように、紙幣検出収容装置は、紙幣挿入口１１より紙幣が挿入されたことを検出する紙幣挿入センサ３１と、紙幣挿入口１１より挿入された紙幣を識別する紙幣識別センサ３２と、紙幣挿入口１１の挿入部に設けられたシャッタ（図示省略）の開閉を制御するシャッタモータ３３と、挿入された紙幣を紙幣識別センサ３２による識別位置（図示省略）まで搬送する搬送モータ３４と、紙幣識別センサ３２による識別が終了した紙幣を収容ケース２１内の所定の収容位置に送る仕分けモータ３５と、収容ケース２１内に収容された紙幣を排出する押し出しモータ２３と、を備えている。更に、各センサの検出信号に基づいて、各モータを制御する制御回路４１を備えている。
【００３５】
制御回路４１は、シャッタモータ３３に駆動信号を出力するシャッタモータ駆動回路４２と、搬送モータ３４に駆動信号を出力する搬送モータ駆動回路４３と、仕分けモータ３５に駆動信号を出力する仕分けモータ駆動回路４４と、押し出しモータ２３に駆動信号を出力する押し出しモータ駆動回路４５とを備えている。
【００３６】
更に、各信号の入出力を行う入出力ポート（Ｉ／Ｏポート）４６と、紙幣の識別及び蓄積、排出等の各種の制御を行うＣＰＵ４７と、システムプログラムを記憶するＲＯＭ４８と、各種のデータを記憶するＲＡＭ４９とを備えている。
【００３７】
また、リモコン機２より送信された送信信号を受信する受信部７１と、ネットワーク４を介して他の遊技媒体貸出機１との間、或いは管理サーバ３との間で信号の送受信を行う通信部５０とを備えている。
【００３８】
ここで、制御回路４１が有するＲＡＭ４９には、複数台設けられた遊技媒体貸出機１を遊技島毎にグループ分けしたデータ（グループ設定データ）が記憶されている。本実施形態では、遊技媒体貸出機１（１a-1〜１a-n）、及び遊技媒体貸出機１（１b-1〜１b-n）がそれぞれ１つの遊技島としてグループ分けされている。また、上記の受信部７１は、全ての遊技媒体貸出機１が備えている必要はなく、１つの遊技島で１台の遊技媒体貸出機１が備えていれば良い。例えば、遊技媒体貸出機１a-1、１b-1のみが備えていれば良い。
【００３９】
図８は、リモコン機２の内部構成を示すブロック図である。同図に示すようにリモコン機２は、主たる制御を行うＣＰＵ５１と、遊技媒体貸出機１に向けて無線の指令信号を送信する送信部５２と、各種のデータを記憶する記憶部５３と、操作者が各種の操作入力を行う操作部５４とを備えている。
【００４０】
図９は、管理サーバ３の内部構成を示すブロック図である。同図に示すように管理サーバ３は、各遊技媒体貸出機１に関する各種のデータを記憶保存する記憶部６２と、総括的な制御を行う制御部（管理サーバ制御手段）６１と、出力データをネットワーク回線に送信する出力部（送信手段）６３と、ネットワーク回線を介して送信されたデータを受信する入力部（受信手段）６４と、ＲＯＭ５５及びＲＡＭ６６を備えている。
【００４１】
次に、上記のように構成された遊技媒体貸出機の管理システム１００において、各遊技媒体貸出機１内に収容されている紙幣を回収する際の動作を、図１０に示すシーケンス図を参照しながら説明する。
【００４２】
まず、操作者は遊技媒体貸出機１のうち、受信部７１（図７参照）を備える貸出機１（例えば、図１に示す遊技媒体貸出機１a-1）の近傍でリモコン機２の操作部５４を操作して、紙幣を取り出すための解除操作を行う（ＳＡ１）。これにより、リモコン機２の送信部５２より解除操作信号（排出指令信号）が送信され、この解除操作信号が遊技媒体貸出機１a-1の受信部７１で受信される（ＳＢ１）。
【００４３】
次いで、遊技媒体貸出機１a-1は、受信された解除操作信号が正常であるか否かを判断し（ＳＢ２）、正常でない場合には図２に示した情報表示ＬＣＤ１４にエラーメッセージを表示する（ＳＢ３）。また、正常な解除操作信号が受信された場合には、この遊技媒体貸出機１a-1の収容ケース２１内に収容されている紙幣を排出する操作を行う（ＳＢ４）。即ち、図７に示したシャッターモータ３３を駆動させることにより、紙幣挿入口１１に設けられたシャッタを開き、更に、押し出しモータ２３を駆動させることにより、収容ケース２１内の紙幣を紙幣挿入口１１から排出させる。つまり、図５，図６に示したように、押し出しモータ２３を回転駆動させて、ブラケット２７の先端部２７ａを側板２２に形成された切欠部２２ａ内を移動させ、収容ケース２１内に収容された紙幣Ｐを押し出す。これにより、図４に示したように、紙幣の束が紙幣挿入口１１から突出した状態となる。
【００４４】
そして、集金担当者が紙幣挿入口１１から突出した紙幣の束を回収すると、紙幣が回収されたことが検知され（ＳＢ５）、紙幣の回収が正常に行われたか否かが判断される。正常でない場合には情報表示ＬＣＤ１４にエラーメッセージを表示する（ＳＢ７）。
【００４５】
また、紙幣が正常に回収された場合には、ネットワーク回線４を介して管理サーバ３に回収正常信号を送信する（ＳＢ８）。更に、他の遊技媒体貸出機（第２の他の遊技媒体貸出機）１a-2に解除操作信号を送信する（ＳＢ９）。
【００４６】
そして、この遊技媒体貸出機１a-2では、上記したＳＢ１からの処理手順で遊技媒体貸出機１a-1と同様に紙幣を排出し、次の遊技媒体貸出機１に解除操作信号を送信し、この処理が繰り返される。従って、同一の遊技島に存在する各遊技媒体貸出機１a-1〜１a-nより順次紙幣が排出されることになり、集金担当者は各遊技媒体貸出機１a-1〜１a-nより排出される紙幣を順次回収することができる。
【００４７】
また、紙幣が正常に回収されたことを示す信号がネットワーク回線４を介して管理サーバ３に送信されるので、管理サーバ３では各遊技媒体貸出機１a-1〜１a-nで正常に紙幣が回収されたか否かの情報を把握することができる。
【００４８】
このようにして、本実施形態に係る遊技媒体貸出システム１００では、集金担当者は、各遊技媒体貸出機１毎に鍵を解錠する手間が不要となり、また、遊技媒体貸出機１内に収容されている紙幣が紙幣挿入口１１から突出するので、紙幣を簡単につかみ取ることができ、紙幣回収の操作性を向上させることができる。
【００４９】
また、遊技媒体貸出機１では、紙幣が正常に回収されたことが検知されると次の遊技媒体貸出機１に対して解除操作信号を送信するので、同一の遊技島に属する複数台の遊技媒体貸出機１では、時間差をもって順次紙幣が排出されることになり、集金担当者の回収作業に応じた紙幣の排出が可能となる。これにより、紙幣が長時間露出されることを回避することができる。
【００５０】
更に、リモコン機２を操作することにより、各遊技媒体貸出機１に収容されている紙幣を排出させることができるので、集金担当者がわざわざ事務室、管理室等に設けられている管理サーバ３の設置場所まで行って紙幣の排出操作を行うという煩わしい作業を回避することができる。また、集金担当者が視認可能な位置にて、各遊技媒体貸出機１から紙幣を排出させることができ、即時に紙幣の回収作業に取りかかれるので、紙幣の盗難等のリスクを軽減することができる。
【００５１】
また、管理サーバ３を介さず、各遊技媒体貸出機１間の通信で紙幣の排出操作を行うことができるので、ネットワーク回線４の通信負荷を軽減することができる。
【００５２】
更に、上記した実施形態では、１つの遊技媒体貸出機１（例えば、１a-1）がリモコン機２より送信された解除操作信号を受信するための受信部７１を備え、順次他の遊技媒体貸出機１へ解除操作信号を送信する構成を例に挙げて説明したが、本発明はこれに限定されるものではなく、各遊技媒体貸出機１が全て受信部７１を備え、リモコン機２より解除操作信号が送信された際に、同一の遊技島の遊技媒体貸出機１より一斉に紙幣を排出する構成とすることも可能である。このような構成によれば、各遊技媒体貸出機１間での操作解除信号の送受信を行う必要がないので、通信負荷が軽減される。
【００５３】
また、上記した実施形態では、リモコン機２による１回の操作で同一の遊技島に属する全ての遊技媒体貸出機１より順次紙幣が排出される構成を例に挙げたが、１台の遊技媒体貸出機１に対して１回のリモコン操作を行うことにより、収容されている紙幣を排出させるように構成することも可能である。このような構成によれば、集金担当者が各遊技媒体貸出機１からの紙幣の排出を確認しながら、集金作業を行うことができ、紙幣を露出させることによる盗難のリスクを軽減することができる。
【００５４】
以上、本発明の遊技媒体貸出機の管理システムを図示の実施形態に基づいて説明したが、本発明はこれに限定されるものではなく、各部の構成は、同様の機能を有する任意の構成のものに置き換えることができる。
【００５５】
例えば、上記した遊技媒体貸出機の管理システムは、図１に示した構成以外でも、図１１、或いは図１２に示す如くの構成とすることも可能である。図１１に示す管理システム１０１では、各遊技媒体１と管理サーバ３とをインターネットとしてのネットワーク回線４′を介して通信可能に接続されており、各遊技媒体貸出機１どうしの通信をインターネットを介して行う。また、図１２に示す管理システム１０２のように、複数の遊技媒体貸出機１と管理サーバ３との間で通信の中継を行う中継装置５を介する構成としても良い。
【００５６】
更に、上記した実施形態では、リモコン機２から送信される解除信号により収容されている紙幣を排出させる例について説明したが、リモコン機２の代わりにＩＣカード等の認証用カードを用い、遊技媒体貸出機１との間の認証が確認された際に、押し出しモータ２３を作動させて収容されている紙幣を排出させる構成とすることも可能である。
【００５７】
また、上記した実施形態では、遊技島毎にグループ設定する場合を例に挙げて説明したが、本発明はこれに限定されるものではなく、集金担当者が紙幣を回収し易いグループに設定することも可能である。
【００５８】
更に、上記した実施形態では、遊技媒体貸出機１に収容された紙幣を排出させる例について説明したが、プリペイドカード等の貨幣価値カードを排出させることにより、貨幣価値カードの回収を容易にすることも可能である。
【産業上の利用可能性】
【００５９】
遊技媒体貸出機内に収容されている紙幣または貨幣価値カードの回収作業を容易に行う上で極めて有用である。
【図面の簡単な説明】
【００６０】
【図１】本発明の一実施形態に係る遊技媒体貸出システムの構成を示す説明図である。
【図２】遊技媒体貸出機の外観を示す斜視図である。
【図３】遊技ホールに設置されている複数台の遊技媒体貸出機の様子を示す説明図である。
【図４】収容ケースの構成を示す斜視図である。
【図５】収容ケース内部の構成を示す側面図である。
【図６】収容ケース内に収容されている紙幣を排出する際の動作を示す説明図である。
【図７】紙幣検出収容装置の構成を示すブロック図である。
【図８】リモコン機の詳細な構成を示すブロック図である。
【図９】管理サーバの詳細な構成を示すブロック図である。
【図１０】本実施形態に係る遊技媒体貸出機の管理システムの動作を示すシーケンス図である。
【図１１】各遊技媒体貸出機どうしをインターネットを介して接続した遊技媒体貸出システムの構成例を示す説明図である。
【図１２】遊技媒体貸出機と管理サーバとの間に中継装置を設けた構成をなす遊技媒体貸出システムのネットワーク接続図である。
【符号の説明】
【００６１】
１（１a-1〜１a-n，１b-1〜１b-n）…遊技媒体貸出機
２…リモコン機（携帯機）  ３…管理サーバ
４，４′…ネットワーク  ５…中継装置  １１…紙幣挿入口  １２…硬貨投入口
１３…リモコン用受信部  １４…情報表示ＬＣＤ  １５…テンキー
１６…硬貨返却口  １７…カード挿入口  １８…遊技機
２１…収容ケース  ２２…  側板  ２２ａ…切欠部
２３…押し出しモータ  ２４…ウォームギヤ  ２５…ウォームホイール
２６…駆動ベルト  ２７…ブラケット  ２７ａ…先端部
３１…紙幣挿入センサ  ３２…紙幣識別センサ  ３３…シャッタモータ
３４…搬送モータ  ３５…仕分けモータ  ４１…制御回路
４２…シャッタモータ駆動回路  ４３…搬送モータ駆動回路
４４…仕分けモータ駆動回路  ４５…押し出しモータ駆動回路
４６…入出力ポート  ４７…ＣＰＵ  ４８…ＲＯＭ
４９…ＲＡＭ  ５０…通信部  ５１…ＣＰＵ  ５２…送信部
５３…記憶部  ５４…操作部  ６１…制御部  ６２…記憶部
６３…出力部  ６４…入力部  ６５…ＲＯＭ  ６６…ＲＡＭ
７１…受信部
１００，１０１，１０２…遊技媒体貸出機の管理システム  Ｐ…紙幣
【図１】
2006238927.tif 000003
【図２】
2006238927.tif 000004
【図３】
2006238927.tif 000005
【図４】
2006238927.tif 000006
【図５】
2006238927.tif 000007
【図６】
2006238927.tif 000008
【図７】
2006238927.tif 000009
【図８】
2006238927.tif 000010
【図９】
2006238927.tif 000011
【図１０】
2006238927.tif 000012
【図１１】
2006238927.tif 000013
【図１２】
2006238927.tif 000014